(57)【要約】【課題】Ｗｅｂページとともに配信する広告をユーザが便利に見ることができるようにする。【解決手段】Ｗｅｂページの配信を受けるクライアントにおいて、Ｗｅｂページを表示するためのＷｅｂページ表示用データをネットワーク上のサーバから受信し（＃５２）、そのＷｅｂページ表示用データとともに広告を表示するための広告表示用データを受信した場合に（＃５３でＹｅｓ）、その広告表示用データの全部または一部分を、その広告のジャンルに応じて分類して記憶媒体に保存する（＃６１）。【選択図】図１３
2006277281.tif 000002
【特許請求の範囲】
【請求項１】
Ｗｅｂページの配信を受けるクライアントにおける広告管理方法であって、
Ｗｅｂページを表示するためのＷｅｂページ表示用データをネットワーク上のサーバから受信し、
前記Ｗｅｂページ表示用データとともに広告を表示するための広告表示用データを受信した場合に、当該広告表示用データの全部または一部分を、当該広告のジャンルに応じて分類して記憶媒体に保存する、
ことを特徴とする広告管理方法。
【請求項２】
前記広告表示用データには、広告の属性に関する属性データが含まれており、
前記広告表示用データを受信した場合に、当該広告表示用データに含まれる前記属性データを前記記憶媒体に保存する、
請求項１記載の広告管理方法。
【請求項３】
Ｗｅｂページの配信を受けるクライアントにおける広告管理方法であって、
Ｗｅｂページを表示するためのＷｅｂページ表示用データをネットワーク上のサーバから受信し、
前記Ｗｅｂページ表示用データとともに広告を表示するための広告表示用データを受信した場合に、当該広告表示用データを記憶媒体に保存し、
ユーザが指定した条件に合う広告を、前記記憶媒体に保存されている前記広告表示用データに基づいて検索し、
検索した広告の一覧を表示する、
ことを特徴とする広告管理方法。
【請求項４】
サーバから受信したＷｅｂページ表示用データに基づいてＷｅｂページを表示するＷｅｂページ表示装置であって、
ユーザが指定したＷｅｂページを表示するためのＷｅｂページ表示用データを当該Ｗｅｂページ表示装置に送信するようにサーバに対して要求するデータ要求手段と、
Ｗｅｂページ表示用データの要求先のサーバまたは他のサーバから、Ｗｅｂページとともに表示する広告の広告表示用データを受信する、表示用データ受信手段と、
受信した広告の広告表示用データのうちの、当該広告の属性に関するデータである属性データを記憶する記憶手段と、
ユーザが指定した条件に合う広告を、前記記憶手段に記憶されている前記属性データに基づいて検索する検索手段と、
検索した広告の一覧を表示する広告一覧表示手段と、
を有することを特徴とするＷｅｂページ表示装置。
【請求項５】
Ｗｅｂブラウザがインストールされているコンピュータに用いられるコンピュータプログラムであって、
Ｗｅｂページとともに表示する広告の広告表示用データが受信された場合に、当該広告表示用データのうちの当該広告の属性に関するデータである属性データを記憶媒体に保存する、保存処理と、
ユーザが指定した条件に合う広告を、前記記憶媒体に保存されている前記属性データに基づいて検索する処理と、
検索した広告の一覧を表示する処理と、
をコンピュータに実行させるためのコンピュータプログラム。
【発明の詳細な説明】
【技術分野】
【０００１】
本発明は、Ｗｅｂページを媒体とした広告の管理方法および装置などに関する。
【背景技術】
【０００２】
「Ｗｅｂ広告」または「インターネット広告」などと呼ばれる、インターネットを媒体とした広告が、様々なＷｅｂサイトにおいて広く用いられている。係る広告は、ユーザの端末装置にユーザが指定したＷｅｂページとともに届けられ、そのＷｅｂページとともに表示される。
【０００３】
近年は、Ｗｅｂページのテーマと関連性のある広告が端末装置に配信されるような工夫がなされている。例えば、ポータルサイトの中で「菓子」というキーワードで検索を行うと、その検索結果を示すＷｅｂページとともに、菓子店や菓子メーカなどの広告を端末装置に配信する。このような工夫によって、Ｗｅｂページの閲覧（いわゆるネットサーフィン）を行っているユーザに対して、ユーザにとって興味のありそうな広告を以前よりも効果的に表示されるようになった。
【０００４】
広告の表示形態には、主に次の２種類がある。１つは、図４に示すように、Ｗｅｂページ（コンテンツ表示部ＣＨ１）の一部分（広告領域ＲＹ１）に広告を貼り込んで表示する形態である。もう１つは、図５に示すように、Ｗｅｂページを表示するメインのウィンドウ（ブラウザウィンドウＨＧＢ）とは別のウィンドウ（ポップアップウィンドウＨＧＰ）を新たにオープンし、これに広告を表示する方法である。
【非特許文献１】”生まれ変わったＷｉｎｄｏｗｓ  ＸＰ  −  ＳＰ２のすべてを知る  （７）  Ｗｉｎｄｏｗｓ  ＸＰ  ＳＰ２の新機能（４）  セキュリティ面が強化された「Ｉｎｔｅｒｎｅｔ  Ｅｘｐｌｏｒｅｒ」  −  ポップアップ広告ブロック”、阿久津良和、２００４年９月１日  毎日コミュニケーションズ、２００４年２月２４日検索、インターネット＜ＵＲＬ：http://pcweb.mycom.co.jp/special/2004/winxpsp2/006.html＞
【発明の開示】
【発明が解決しようとする課題】
【０００５】
上述の通り、ユーザにとって興味のありそうな広告がＷｅｂページとともに効果的に配信されるようになった。しかし、ユーザは、せっかく興味のある広告が表示されたとしても、忙しいときや調べ物のためにあちこちのＷｅｂページを移動しているときなどは、広告に注目することができない。ユーザは、後から広告を見ようと思っても、時間が経つと、そのことを忘れてしまいがちである。そのことを思い出して、その広告がどのＷｅｂページで表示されたのかを忘れてしまうこともある。そのＷｅｂページを思い出してアクセスできたとしても、同じ広告がもう一度表示されるとは限らない。
【０００６】
また、図５に示すようなポップアップウィンドウＨＧＰによる広告（以下、「ポップアップ広告」と記載する。）が表示されると、ユーザが現在行っている作業とは関係のないウィンドウが増えることになるので、不便であるとユーザに感じさせることもある。そこで、非特許文献１に記載されるようなＷｅｂブラウザを使用することによって、ポップアップ広告が表示されるのをブロックすることができる。
【０００７】
しかし、このようなＷｅｂブラウザによると、ポップアップ広告による宣伝効果がまったく発揮できないので、広告主にとって大きなダメージになる。また、ユーザにとっても、興味のある広告を見逃してしまうというデメリットになる。
【０００８】
本発明は、このような問題点に鑑み、Ｗｅｂページとともに配信する広告の閲覧をユーザが便利に行うことができるようにすることを目的とする。
【課題を解決するための手段】
【０００９】
本発明に係る広告管理方法は、Ｗｅｂページの配信を受けるクライアントにおける広告管理方法であって、Ｗｅｂページを表示するためのＷｅｂページ表示用データをネットワーク上のサーバから受信し、前記Ｗｅｂページ表示用データとともに広告を表示するための広告表示用データを受信した場合に、当該広告表示用データの全部または一部分を、当該広告のジャンルに応じて分類して記憶媒体に保存する、ことを特徴とする。
【００１０】
前記広告表示用データの一部分とは、例えば、当該広告表示用データに含まれる、広告の属性に関する属性データである。属性データは、例えば、ＸＭＬ（Extensible Markup Language）のタグを使って記述される。
【００１１】
ユーザが指定した条件に合う広告を、前記記憶媒体に保存されている前記属性データに基づいて検索し、検索した広告の一覧を表示してもよい。
【発明の効果】
【００１２】
本発明によると、ユーザは、Ｗｅｂページとともに配信する広告の閲覧を便利に行うことができる。
【発明を実施するための最良の形態】
【００１３】
図１は本発明に係る端末装置２を含むネットワーク構成の例を示す図、図２は端末装置２のハードウェア構成の例を示す図、図３は端末装置２の機能的構成の例を示す図、図４はブラウザウィンドウＨＧＢの表示例を示す図、図５はブラウザウィンドウＨＧＢおよびポップアップウィンドウＨＧＰの表示例を示す図、図６はＷｅｂページファイル８の記述例を示す図、図７は広告表示用データ７０のフォーマットの例を示す図である。
【００１４】
本発明に係る端末装置２は、図１に示すように、インターネット上の様々なＷｅｂサーバ３と接続され、これらのＷｅｂサーバ３からユーザの所望する情報を取得することができる。
【００１５】
端末装置２は、図２に示すように、端末装置本体２０、表示装置２１、および入力装置２２などによって構成され、Ｗｅｂページの閲覧のためのクライアントコンピュータとして使用される。端末装置本体２０は、ＣＰＵ２０ａ、ＲＡＭ２０ｂ、ＲＯＭ２０ｃ、ハードディスク２０ｄ、および種々のインタフェースなどによって構成される。端末装置２として、パーソナルコンピュータまたはワークステーションなどが用いられる。
【００１６】
ハードディスク２０ｄには、オペレーティングシステム（ＯＳ）およびＷｅｂブラウザ２Ｂがインストールされている。さらに、図３に示すような広告データ抽出部２０１、広告検索部２０２、広告データ期限管理部２０３、検索結果表示部２０４、広告データベース２Ｍ１、および設定情報記憶部２Ｍ２などの機能を実現するためのプログラムおよびデータがインストールされている。これらのプログラムおよびデータは、必要に応じてＲＡＭ２０ｂにロードされ、ＣＰＵ２０ａによってプログラムが実行される。
【００１７】
従来と同様に、Ｗｅｂブラウザ２Ｂが起動すると、図４に示すように、端末装置２のデスクトップＤＳＴには、ブラウザウィンドウＨＧＢが表示される。Ｗｅｂブラウザ２Ｂは、テキストボックスＴＸ１にユーザが入力して指定したＵＲＬ（Uniform Resource Locator）またはユーザがクリックしたハイパーリンクのリンク先のＷｅｂページのデータをＷｅｂサーバ３からダウンロードし、ダウンロードしたデータに基づいてＷｅｂページを構築（再生、再現）しコンテンツ表示部ＣＨ１に表示させる。図３の各部については、後に説明する。
【００１８】
Ｗｅｂサーバ３は、様々な情報をＷｅｂページとして端末装置２に配信する。Ｗｅｂサーバ３として、既存のＷｅｂサーバがそのまま用いられる。Ｗｅｂページのデータは、ＨＴＭＬ（Hypertext Markup Language）、ＪａｖａＳｃｒｉｐｔ（登録商標）、またはＸＭＬ（Extensible Markup Language）などの言語で記述することによって作成される。以下、これらの言語で記述されたＷｅｂページのデータからなるファイルを「Ｗｅｂページファイル８」と記載する。Ｗｅｂページファイル８の中に画像ファイルのＵＲＬ（Uniform Resource Locator）またはファイル名を指定することによって、写真またはイラストなどの画像をＷｅｂページに貼り込むこともできる。さらに、その画像にハイパーリンクを設定することもできる。
【００１９】
また、ユーザが要求した情報とともにＷｅｂサーバ３の管理者自身の広告またはスポンサーの広告を配信し、端末装置２に表示させることもできる。広告の表示形態は、主に、次の２種類がある。
【００２０】
第一の表示形態は、図４に示すように、Ｗｅｂページの一部に広告領域ＲＹ１を設け、そこに広告を表示させる形態である。広告領域ＲＹ１には、テキストだけの広告を表示させてもよいし、バナー広告画像を表示させてもよい。テキストの一部またはバナー広告画像に、広告主のＷｅｂページへのハイパーリンクを設定することもできる。広告を見たユーザは、そのバナー広告画像などをクリックして広告主のＷｅｂページへ移動することによって、さらに詳しい情報を掲載する広告を見ることができる。
【００２１】
第二の表示形態は、図５に示すように、ブラウザウィンドウＨＧＢとは別のウィンドウをデスクトップＤＳＴに新たにオープンし、その新たなウィンドウのコンテンツ表示部ＣＨ２の全体に広告を表示させる形態である。この場合は、そのウィンドウに表示されるＷｅｂページのコンテンツが広告であると言える。ここでも第一の表示形態の場合と同様に、テキストだけの広告を表示させてもよいし、バナー広告画像を表示させてもよい。ハイパーリンクの設定も可能である。
【００２２】
以下、この新たにオープンしたウィンドウを「ポップアップウィンドウＨＧＰ」と記載する。また、広告領域ＲＹ１またはポップアップウィンドウＨＧＰに表示させる広告の構成およびコンテンツを記述したデータを「広告表示用データ７０」と記載する。
【００２３】
ブラウザウィンドウＨＧＢまたはポップアップウィンドウＨＧＰに広告を表示させる方法は、主に次の２通りである。１つは、図６（ａ）に示すように、これらのウィンドウに表示させるＷｅｂページのＷｅｂページファイル８に、表示させたい広告の広告表示用データ７０を直接記述しておく方法である。もう１つは、図６（ｂ）に示すように、Ｗｅｂページファイル８に、広告主または広告代理店が予め指定した所定のコードを記述しておく方法である。後者の方法によると、端末装置２は、そのＷｅｂページファイル８に基づいてＷｅｂページを表示しようとするごとに、そのＷｅｂページファイル８に含まれるコードに基づいて、広告配信用のＷｅｂサーバ３に対して広告のデータを要求する。そのＷｅｂサーバ３は、そのコードに応じてＣＧＩ（Common Gateway Interface）プログラムを実行し、その実行結果に応じた広告の広告表示用データ７０を端末装置２に配信する。そして、端末装置２は、受信した広告表示用データ７０に基づいてブラウザウィンドウＨＧＢまたはポップアップウィンドウＨＧＰに広告を表示させる。以下、係るコードを「広告呼出コード７２」と記載する。
【００２４】
上に述べた、広告の表示形態および広告の表示方法は、いずれも、広く普及しているものである。ただし、本実施形態では、従来とは異なり、広告表示用データ７０を記述するためのフォーマットを図７に示すように規定している。ＸＭＬを用いれば、係るフォーマットに従って広告表示用データ７０を記述することができる。以下、図７のフォーマットに従ってＸＭＬで記述された広告表示用データ７０を取り扱う場合を例に説明する。
【００２５】
図７において、書誌的事項７０ａの部分には、使用するＸＭＬのバージョンおよびドキュメントタイプなどの書誌的な設定を記述する。広告本文７０ｂの部分には、Ｗｅｂページとともに表示させる広告の本文（コンテンツ部分）を記述する。
【００２６】
（１）〜（１５）までは、広告の種々の属性に関する設定の情報を記述する。以下、これらの属性の情報を「広告属性情報７０ｃ」と記載する。（１）の「＜広告  …＞」タグおよび「＜／広告＞」タグは、それぞれ、広告属性情報７０ｃの記述の開始および終了を宣言するものである。
【００２７】
（１）に示す「名前＝”設定値”」には、広告の名前すなわち広告名を記述する。例えば、「洋酒フェア」という広告名を設定する場合は、「名前＝”洋酒フェア”」と記述する。（２）に示す「＜期間  開始＝”設定値”  終了  ”設定値”／＞」には、広告の有効期間の開始日時および終了日時を記述する。
【００２８】
（３）の「＜ジャンル＞設定値＜／ジャンル＞」のタグには、広告のジャンル（分野、カテゴリ）を記述する。（４）の「＜広告主名＞設定値＜／広告主名＞」のタグには、広告主の氏名または会社名などを記述する。
【００２９】
（５）〜（８）に示す各タグには、それぞれ、広告主の住所、電話番号、担当者のメールアドレス、および広告主が開設するＷｅｂサイトのトップページのＵＲＬまたはそれに準ずる情報を記述する。（９）〜（１２）に示す各タグには、それぞれ、広告で取り扱う主な商品の商品名、価格、広告を見た人に対する特典、および付随的情報（メモ）を記述する。
【００３０】
（１３）に示す「＜ＵＲＬ＞設定値＜／ＵＲＬ＞」のタグには、広告に含まれるハイパーリンクのリンク先（例えば、より詳細な広告のＷｅｂページ）のＵＲＬを記述する。（１４）に示す「＜バナー画像ＵＲＬ＞設定値＜／バナー画像ＵＲＬ＞」には、広告に含めるバナー広告画像のＵＲＬを記述する。
【００３１】
なお、広告属性情報７０ｃは、必要な属性についてのみ記述すればよい。例えば、広告の有効期間が既に始まっている場合は、期間の開始の設定値を省略してもよい。ただし、本実施形態では、「ジャンル」の属性は必ず設定しなければならないものとする。また、広告本文７０ｂを、広告属性情報７０ｃの中から必要な情報を呼び出すように記述してもよい。
【００３２】
図１に戻って、作業用端末装置４は、Ｗｅｂページまたは広告などを作成しまたは編集するために用いられるパーソナルコンピュータまたはワークステーションである。作業用端末装置４のハードウェア構成は、図２に示す端末装置２のハードウェア構成と同様である。ただし、ハードディスクには、Ｗｅｂページまたは広告を作成しまたは編集するためのアプリケーションソフトおよび作成したＷｅｂページのＷｅｂページファイル８または広告の広告表示用データ７０をＷｅｂサーバ３にアップロードするためのアプリケーションソフトなどがインストールされている。
【００３３】
図８は広告データベース２Ｍ１の構成の例を示す図、図９は広告テーブルＴＬ１の例を示す図、図１０は広告検索画面ＨＧ１の例を示す図、図１１は検索結果画面ＨＧ２の例を示す図である。
【００３４】
図３において、端末装置２の広告データベース２Ｍ１は、図８に示すように、端末装置２が取得したことのある広告に関する情報を格納するための広告テーブルＴＬ（ＴＬ１、ＴＬ２、ＴＬ３、…）を管理する。この広告テーブルＴＬは、広告のジャンルごとに用意されている。例えば、「食品」というジャンルの広告のために、図９に示すような構成のテーブルＴＬ１が用意されている。他のジャンルの広告テーブルＴＬ２、ＴＬ３、…の構成も、広告テーブルＴＬ１と同様である。なお、図９では、紙面の都合上、広告テーブルＴＬを３段に分割して記載している。
【００３５】
設定情報記憶部２Ｍ２は、除外フィルタ情報ＤＴＪを記憶している。この除外フィルタ情報ＤＴＪには、広告テーブルＴＬに情報を登録（格納）させたくない広告の属性が示される。例えば、未成年者が端末装置２を使用する場合に、除外フィルタ情報ＤＴＪに「ジャンル：成人向け  ＯＲ  商品名：酒，タバコ」などと設定しておく。
【００３６】
広告データ抽出部２０１は、Ｗｅｂブラウザ２ＢがダウンロードしたＷｅｂページの中に広告が含まれている場合に、その広告を表示するためのデータすなわち広告表示用データ７０を抽出する。そして、その広告表示用データ７０に含まれる広告属性情報７０ｃの内容を、次のようにして広告テーブルＴＬに登録する。
【００３７】
その広告表示用データ７０に示されるジャンル（図７の（３）参照）に対応する広告テーブルＴＬを検索する。検索された広告テーブルＴＬの中に新たなレコードを生成し、既存のレコードと識別するためのユニークな広告番号を割り当てる。
【００３８】
生成したレコードの「広告主名」、「住所」、「電話番号」、「メールアドレス」、「トップページＵＲＬ」、「商品名」、「価格」、「特典」、「メモ」、「ＵＲＬ」、および「画像ＵＲＬ」のフィールドに、その広告表示用データ７０の中の、それぞれのフィールドと同じ名称を有するタグに示される情報を格納する。例えば、広告表示用データ７０に「＜広告主名＞ＺＺ酒店＜／広告主名＞」と記述されている場合は、広告テーブルＴＬの「広告主名」フィールドに、「ＺＺ酒店」という値（情報）を格納する。
【００３９】
「開始時期」および「終了時期」には、それぞれ、広告表示用データ７０の「期間」タグに示される開始および終了の設定値を格納する。「名前」には、「広告  名前」タグに示される設定値を格納する。
【００４０】
なお、広告表示用データ７０の内容が除外フィルタ情報ＤＴＪに該当する場合は、広告テーブルＴＬへの登録は行わない。
【００４１】
広告検索部２０２は、広告データベース２Ｍ１の各広告テーブルＴＬに蓄積された広告の中から、端末装置２のユーザが閲覧を希望する広告を検索する。検索の処理は、例えば次のような手順で行われる。ユーザが所定の操作を行うと、広告検索部２０２は、端末装置２のデスクトップＤＳＴに、図１０（ａ）に示すような広告検索画面ＨＧ１を表示させる。
【００４２】
ここで、ユーザは、所望する広告に関連するキーワードを、テキストボックスＴＸ２に入力して指定する。さらに、その広告のジャンルが分かっている場合は、検索オプションのチェックボックス群ＣＢの中から、そのジャンルに対応するチェックボックスをクリックして指定する。複数のジャンルを指定することも可能である。指定した後、検索ボタンＢＮ１をクリックする。
【００４３】
すると、広告検索部２０２は、テキストボックスＴＸ２で指定されたキーワードを検索条件として、これに該当する広告のレコード（広告表示用データ７０）を、広告データベース２Ｍ１の各広告テーブルＴＬの中から検索する。ただし、ジャンルが指定されている場合は、そのジャンルの広告テーブルＴＬの中から検索する。検索の実行時の日時が有効期間に該当しない広告すなわち「開始時期」から「終了時期」（図７、図９参照）までの期間に該当しない広告は、検索対象から除外してもよい。または、終了時期が過ぎてしまっている広告を検索対象から除外してもよい。
【００４４】
なお、検索が終了するまでの間、図１０（ｂ）に示すように、広告検索画面ＨＧ１の上に、検索中である旨を知らせるダイアログボックスを表示させる。ここで、検索中止ボタンＢＮ２がクリックされた場合は、検索を中止する。
【００４５】
検索結果表示部２０４は、広告検索部２０２による検索処理が終了すると、広告検索画面ＨＧ１を閉じ、図１１に示すような、検索された広告の一覧を示す検索結果画面ＨＧ２をデスクトップＤＳＴに表示させる。この検索結果画面ＨＧ２は、例えばＨＴＭＬまたはＸＭＬなどによって記述してもよい。検索結果画面ＨＧ２には、検索された広告の名前（広告名）、広告主、掲載する商品の商品名、および価格などの情報が示される。さらに、広告名をクリックするとその広告のＷｅｂページにジャンプし、広告主をクリックすると広告主のＷｅｂサイトのトップページにジャンプするように、ハイパーリンクの設定がなされている。
【００４６】
ユーザは、この検索結果画面ＨＧ２の中から自分の所望する広告を探し出し、その広告の内容を確認することができる。
【００４７】
ソートタブＴＢ１、ＴＢ２、およびＴＢ３のいずれかがクリックされると、検索された広告を、それぞれ、広告名、商品名、および価格の順に並べ替えて検索結果画面ＨＧ２を再表示する。
【００４８】
図１１の例では、検索結果画面ＨＧ２に、広告名、広告主名、商品名、および価格の属性を表示させているが、ユーザの指定に応じて表示させる属性を変更するようにしてもよい。このとき、画像ＵＲＬ（バナー広告画像のＵＲＬ）が指定された場合は、各広告のバナー広告画像を所定のサイズに拡大または縮小し、サムネイル画像として並べて表示してもよい。
【００４９】
図３の広告データ期限管理部２０３は、広告テーブルＴＬに格納されている広告表示用データ７０の終了時期をチェックする。そして、終了時期を過ぎてしまっているものを広告テーブルＴＬから削除する。または、終了時期から所定の期間（例えば、１週間）が経過したものを削除するようにしてもよい。チェックおよび削除の処理は、定期的に実行する。または、広告検索部２０２による検索処理の際に実行してもよい。
【００５０】
図１２はＷｅｂページおよび広告の準備の際の各装置の処理の流れの例を説明するフローチャート、図１３はＷｅｂページの閲覧時の端末装置２の処理の流れの例を説明するフローチャート、図１４は広告の閲覧時の端末装置２の処理の流れの例を説明するフローチャートである。
【００５１】
次に、端末装置２、Ｗｅｂサーバ３、および作業用端末装置４の処理の流れを、フローチャートを参照して説明する。
【００５２】
まず、下記の（Ａ）〜（Ｃ）のような環境である場合を例に、Ｗｅｂページおよび広告の準備のための処理の流れを、図１２のフローチャートを参照して説明する。（Ａ）企業αがＷｅｂサーバ３１によってポータルサイトを構築し、インターネットユーザに対して様々な情報をＷｅｂページによって配信する。（Ｂ）様々な業種の企業がこのポータルサイトのスポンサーとなっており、インターネットユーザには、企業αのＷｅｂページとともにこれらのスポンサーの広告が配信される。（Ｃ）広告のデータは、広告代理店βが運営するＷｅｂサーバ３２から配信される。
【００５３】
スポンサーは、自社の広告のコンテンツを用意し、図７で説明したフォーマットに基づいて、自社の作業用端末装置４によって広告表示用データ７０を作成する（図１２の＃４１）。また、広告にバナー広告などの画像を含める場合はその画像の画像ファイルを作成する。そして、その広告表示用データ７０および画像ファイルを広告代理店βのＷｅｂサーバ３２に転送する（＃４２）。Ｗｅｂサーバ３２は、その広告表示用データ７０および画像ファイルを受信し、所定の保存場所に保存する（＃３３）。なお、スポンサーはコンテンツのみを用意し、広告表示用データ７０および画像ファイルの作成を広告代理店βが行ってもよい。
【００５４】
広告代理店βは、予め、企業αと各スポンサーとの契約に従って、所定の保存場所に保存されている広告がインターネットユーザの端末装置２に配信されるように広告配信用のＣＧＩプログラムの設定を行っておく（＃３１）。そして、そのＣＧＩプログラムを呼び出して端末装置２への広告の配信処理を実行するためのコード（広告呼出コード７２）を企業αに通知しておく（＃３２）。
【００５５】
企業αは、ポータルサイトでインターネットユーザに提供するＷｅｂページのＷｅｂページファイル８を自社の作業用端末装置４によって作成する（＃１１）。この際に、Ｗｅｂサーバ３２から予め通知された広告呼出コード７２を用いて、Ｗｅｂページとともにスポンサーの広告が提供されるようにＷｅｂページファイル８をコーディングする（図６（ｂ）参照）。そして、作成したＷｅｂページファイル８をＷｅｂサーバ３１に転送する（＃１２）。または、広告呼出コード７２の代わりに広告表示用データ７０をＷｅｂページファイル８に記述してもよい（図６（ａ）参照）。
【００５６】
Ｗｅｂサーバ３１は、そのＷｅｂページファイル８を受信し、所定の保存場所に保存する（＃２１）。
【００５７】
以上の処理によって、Ｗｅｂページおよび広告をインターネットユーザに閲覧させるための準備が完了する。他のＷｅｂサイトのＷｅｂサーバ３でも、Ｗｅｂページとともにスポンサーの広告を配信する場合は、図１２と同様の処理によって準備が行われる。ただし、Ｗｅｂサイトの運営者と広告主とが同一である場合などは、Ｗｅｂページファイル８と広告表示用データ７０とが同じＷｅｂサーバ３に保存されることがある。
【００５８】
インターネットユーザは、端末装置２を操作して、インターネット上のあちこちのＷｅｂサーバ３にアクセスし、様々なＷｅｂページを閲覧することができる。以下、企業αのＷｅｂページを閲覧する場合を例に、端末装置２がＷｅｂページおよび広告を表示する際の処理の手順を、図１３のフローチャートを参照して説明する。
【００５９】
ユーザは、端末装置２にＷｅｂブラウザ２Ｂを起動させ、ブラウザウィンドウＨＧＢをデスクトップＤＳＴにオープンさせる。そして、企業αが提供するいずれかのＷｅｂページのＵＲＬを指定する。すると、端末装置２は、そのＷｅｂページを企業αのＷｅｂサーバ３１に対して要求し（図１３の＃５１）、そのＷｅｂページのＷｅｂページファイル８をダウンロードする（＃５２）。
【００６０】
ダウンロードしたＷｅｂページファイル８に、広告呼出コード７２が含まれている場合は（＃５３でＹｅｓかつ＃５４でＹｅｓ）、その広告呼出コード７２に基づいて広告代理店のＷｅｂサーバ３２に対して広告を配信するように要求する。すると、Ｗｅｂサーバ３２は、ＣＧＩプログラムを実行して配信すべき広告を決定し、その広告の広告表示用データ７０を、要求元の端末装置２に送信する。
【００６１】
端末装置２は、その広告表示用データ７０を受信すると（＃５５）、次のようにＷｅｂページおよび広告を表示する。第一の表示形態すなわちＷｅｂページの一部分に広告を表示するようにＷｅｂページファイル８が記述されている場合は（＃５６でＹｅｓ）、広告表示用データ７０に基づいて広告を構築し、図４で説明したように、構築した広告が広告領域ＲＹ１に配置されるようにＷｅｂページを表示する（＃５７）。
【００６２】
第二の表示形態すなわちＷｅｂページとは別のウィンドウに広告を表示するようにＷｅｂページファイル８が記述されている場合は（＃５６でＮｏ）、ポップアップウィンドウＨＧＰを新たにデスクトップＤＳＴにオープンするとともに（＃５９）、広告表示用データ７０に基づいて広告を構築し、図５で説明したように、構築した広告をそのポップアップウィンドウＨＧＰに表示させる（＃６０）。なお、ブラウザウィンドウＨＧＢには、Ｗｅｂページだけを表示させる。ただし、ポップアップ表示を禁止すべき旨の設定がＷｅｂブラウザ２Ｂになされている場合は（＃５８でＮｏ）、広告の表示は行わない。
【００６３】
一方、ダウンロードしたＷｅｂページファイル８に広告表示用データ７０が直接記述されている場合は（＃５３でＹｅｓかつ＃５４でＮｏ）、その広告表示用データ７０に基づいて広告を表示する処理を行う。係る処理の手順は、上に説明した、Ｗｅｂサーバ３２から受信した広告表示用データ７０に基づいて広告を表示する場合と、同様である（＃５６〜＃６０）。
【００６４】
そして、Ｗｅｂサーバ３２から受信した広告表示用データ７０またはＷｅｂページファイル８に記述されていた広告表示用データ７０を、その広告のジャンルに対応する広告テーブルＴＬに登録して蓄積しておく（＃６１）。広告表示用データ７０の登録は、ポップアップ表示が禁止されている場合も行う。ただし、除外フィルタ情報ＤＴＪに示される広告である場合は、広告表示を禁止しているか否かを問わず、登録を中止する。
【００６５】
１つのＷｅｂページとともに複数の広告が表示された場合は、それぞれの広告についてステップ＃５３〜＃６１の処理を実行する。
【００６６】
ユーザは、広告テーブルＴＬに蓄積された広告の内容を確認することができる。この場合は、端末装置２は、図１４に示すような手順で処理を行う。
【００６７】
ユーザが所定の操作を行うと、端末装置２は、広告検索画面ＨＧ１（図１０（ａ）参照）をデスクトップＤＳＴに表示する（図１４の＃７１）。ユーザが所望する広告の条件が入力されると（＃７２）、その条件に合う広告を広告テーブルＴＬの中から検索し（＃７３）、検索結果を検索結果画面ＨＧ２（図１１参照）として表示する（＃７４）。
【００６８】
ユーザは、この検索結果画面ＨＧ２を見ることによって、Ｗｅｂページを閲覧中に取得された広告を確認することができる。その広告が、さらに詳細な広告のＷｅｂページ（以下、「広告ページ」と記載する。）へ案内するものであった場合は、広告名の部分に、その広告ページへのハイパーリンクが設定されている。ここで、ユーザがその広告名をクリックして選択した場合は（＃７５でＹｅｓ）、端末装置２は、ブラウザウィンドウＨＧＢをデスクトップＤＳＴにオープンし（＃７６）、その広告名に設定されているハイパーリンクに基づいて広告ページのＷｅｂページファイル８をダウンロードし（＃７７）、Ｗｅｂページを表示する（＃７８）。
【００６９】
また、検索結果画面ＨＧ２の広告主名には、広告主のＷｅｂサイトのトップページへのハイパーリンクが設定されている。これがクリックされた場合は（＃７５でＮｏ）、ブラウザウィンドウＨＧＢをオープンし（＃７９）、そのトップページのＷｅｂページファイル８をダウンロードし（＃８０）、トップページを表示する（＃８１）。
【００７０】
本実施形態によると、Ｗｅｂページとともに表示された広告のデータをジャンル分けして保存する。よって、ユーザは、Ｗｅｂページの閲覧後、これらの広告を簡単に探し出して閲覧することができる。また、キーワード検索などによって、より簡単に広告を探し出すことができる。
【００７１】
本実施形態では、広告テーブルＴＬを端末装置２のハードディスク２０ｄに設けたが、サーバのハードディスクで各端末装置２の広告テーブルＴＬを一括管理するようにしてもよい。
【００７２】
本実施形態では、広告表示用データ７０を、広告テーブルＴＬに整理して保存したが、他の保存方法を用いてもよい。例えば、広告表示用データ７０ごとにファイル名を付け、ファイルとして保存してもよい。この場合は、Ｗｅｂページを閲覧しているときに実際にブラウザウィンドウＨＧＢの広告領域ＲＹ１（図４参照）またはポップアップウィンドウＨＧＰ（図５参照）に表示された広告をサムネイル画像として再現し、これらのサムネイル画像を並べて検索結果画面ＨＧ２（図１１参照）に表示してもよい。
【００７３】
その他、端末装置２の全体または各部の構成、ネットワーク構成、処理内容、処理順序、データベースの内容などは、本発明の趣旨に沿って適宜変更することができる。
【００７４】
以上説明した実施形態に関し、さらに以下の付記を開示する。
（付記１）
Ｗｅｂページの配信を受けるクライアントにおける広告管理方法であって、
Ｗｅｂページを表示するためのＷｅｂページ表示用データをネットワーク上のサーバから受信し、
前記Ｗｅｂページ表示用データとともに広告を表示するための広告表示用データを受信した場合に、当該広告表示用データの全部または一部分を、当該広告のジャンルに応じて分類して記憶媒体に保存する、
ことを特徴とする広告管理方法。
（付記２）
前記広告表示用データには、広告の属性に関する属性データが含まれており、
前記広告表示用データを受信した場合に、当該広告表示用データに含まれる前記属性データを前記記憶媒体に保存する、
付記１記載の広告管理方法。
（付記３）
ユーザが指定した条件に合う広告を、前記記憶媒体に保存されている前記属性データに基づいて検索し、
検索した広告の一覧を表示する、
付記２記載の広告管理方法。
（付記４）
前記属性データには、広告の有効期限を示すデータが含まれており、
ユーザが指定した条件に合う広告を検索する際に、有効期限切れの広告を検索対象から除外する、
付記３記載の広告管理方法。
（付記５）
前記属性データには、広告の有効期限を示すデータが含まれており、
有効期限が過ぎた広告の前記広告表示用データを前記記憶媒体から削除する、
付記２ないし付記４のいずれかに記載の広告管理方法。
（付記６）
受信した前記広告表示用データに他のＷｅｂページへのハイパーリンクが含まれている場合は、当該他のＷｅｂページのＵＲＬを当該広告に対応付けて前記記憶媒体に保存し、
検索した広告に対応する前記ＵＲＬが前記記憶媒体に保存されている場合は、当該広告の中のいずれかのオブジェクトに当該ＵＲＬを示すハイパーリンクを設定して前記一覧を表示し、
ユーザが前記一覧の中の前記オブジェクトを選択した場合に、当該オブジェクトに設定されているハイパーリンクに対応するＵＲＬのＷｅｂページの前記Ｗｅｂページ表示用データをＷｅｂサーバに対して要求する、
付記３記載の広告管理方法
（付記７）
Ｗｅｂページの配信を受けるクライアントにおける広告管理方法であって、
Ｗｅｂページを表示するためのＷｅｂページ表示用データをネットワーク上のサーバから受信し、
前記Ｗｅｂページ表示用データとともに広告を表示するための広告表示用データを受信した場合に、当該広告表示用データを記憶媒体に保存し、
ユーザが指定した条件に合う広告を、前記記憶媒体に保存されている前記広告表示用データに基づいて検索し、
検索した広告の一覧を表示する、
ことを特徴とする広告管理方法。
（付記８）
サーバから受信したＷｅｂページ表示用データに基づいてＷｅｂページを表示するＷｅｂページ表示装置であって、
ユーザが指定したＷｅｂページを表示するためのＷｅｂページ表示用データを当該Ｗｅｂページ表示装置に送信するようにサーバに対して要求するデータ要求手段と、
Ｗｅｂページ表示用データの要求先のサーバまたは他のサーバから、Ｗｅｂページとともに表示する広告の広告表示用データを受信する、表示用データ受信手段と、
受信した広告の広告表示用データのうちの、当該広告の属性に関するデータである属性データを記憶する記憶手段と、
ユーザが指定した条件に合う広告を、前記記憶手段に記憶されている前記属性データに基づいて検索する検索手段と、
検索した広告の一覧を表示する広告一覧表示手段と、
を有することを特徴とするＷｅｂページ表示装置。
（付記９）
Ｗｅｂブラウザがインストールされているコンピュータに用いられるコンピュータプログラムであって、
Ｗｅｂページとともに表示する広告の広告表示用データが受信された場合に、当該広告表示用データのうちの当該広告の属性に関するデータである属性データを記憶媒体に保存する、保存処理と、
ユーザが指定した条件に合う広告を、前記記憶媒体に保存されている前記属性データに基づいて検索する処理と、
検索した広告の一覧を表示する処理と、
をコンピュータに実行させるためのコンピュータプログラム。
【産業上の利用可能性】
【００７５】
本発明は、特に、ユーザにとって便利にＷｅｂページの閲覧ができるようにＷｅｂブラウザの機能の向上させるために好適に用いられる。本発明は、Ｗｅｂブラウザのプラグインのプログラムとして実現することができる。または、Ｗｅｂブラウザとは独立したプログラムとして実現してもよい。
【図面の簡単な説明】
【００７６】
【図１】本発明に係る端末装置を含むネットワーク構成の例を示す図である。
【図２】端末装置のハードウェア構成の例を示す図である。
【図３】端末装置の機能的構成の例を示す図である。
【図４】ブラウザウィンドウの表示例を示す図である。
【図５】ブラウザウィンドウおよびポップアップウィンドウの表示例を示す図である。
【図６】Ｗｅｂページファイルの記述例を示す図である。
【図７】広告表示用データのフォーマットの例を示す図である。
【図８】広告データベースの構成の例を示す図である。
【図９】広告テーブルの例を示す図である。
【図１０】広告検索画面の例を示す図である。
【図１１】検索結果画面の例を示す図である。
【図１２】Ｗｅｂページおよび広告の準備の際の各装置の処理の流れの例を説明するフローチャートである。
【図１３】Ｗｅｂページの閲覧時の端末装置の処理の流れの例を説明するフローチャートである。
【図１４】広告の閲覧時の端末装置２の処理の流れの例を説明するフローチャートである。
【符号の説明】
【００７７】
２  端末装置（クライアント、Ｗｅｂページ表示装置）
２０２  広告検索部（検索手段）
２０４  検索結果表示部（広告一覧表示手段）
２０ｄ  ハードディスク（記憶媒体）
２Ｂ  Ｗｅｂブラウザ（データ要求手段、表示用データ受信手段）
２Ｍ１  広告データベース（記憶手段）
３  Ｗｅｂサーバ
８  Ｗｅｂページファイル（Ｗｅｂページ表示用データ）
７０  広告表示用データ
７０ｃ  広告属性情報（属性データ）
ＨＧ２  検索結果画面（一覧）
【図１】
2006277281.tif 000003
【図２】
2006277281.tif 000004
【図３】
2006277281.tif 000005
【図４】
2006277281.tif 000006
【図５】
2006277281.tif 000007
【図６】
2006277281.tif 000008
【図７】
2006277281.tif 000009
【図８】
2006277281.tif 000010
【図９】
2006277281.tif 000011
【図１０】
2006277281.tif 000012
【図１１】
2006277281.tif 000013
【図１２】
2006277281.tif 000014
【図１３】
2006277281.tif 000015
【図１４】
2006277281.tif 000016